(57)【要約】  無線ＨＤＭＩコンバータ（１２）では、適切な、音声データの入力切替の処理を行い、指示を受信した場合には、ＳＴＢ（１３）からＨＤＭＩ入力インタフェース（２３ａ）が受信した映像音声データ（１３ｄ）から、音声データ（１１ｄ２）を音声データ抽出部２５ａが抽出し、抽出された音声データ（１１ｄ２）をホームシアター（１４）へと、光音声出力インタフェース２４が出力させて、無線インタフェース２２による無線通信の失敗、その無線通信の品質の低下などが回避されるようにする。
2011132398.tif 000002
【特許請求の範囲】
【請求項１】
外部送受信機器との、無線での接続が可能で、少なくとも、映像データの送信、音声データの受信、および制御信号の受信が、接続された当該外部送受信機器と可能な第一のインタフェースと、
外部送信機器との接続が可能で、当該外部送信機器から、少なくとも、映像音声データの受信が可能な第二のインタフェースと、
外部音声出力機器との接続が可能で、音声データの送信が可能な第三のインタフェースと、
前記外部音声出力機器へと送信される音声データの経路を切り替える音声セレクタと、
前記第一のインタフェースで受信した前記制御信号に基づいて、前記音声セレクタに対し、前記経路の切り替えを指示する制御部と、
前記第二のインタフェースで受信した前記映像音声データから音声データを取り出す音声データ抽出部を有し、
前記制御信号として、前記第一のインタフェースを選択する第１の指示信号を受信した場合には、
（ａ−ｉ）前記第一のインタフェースは、前記外部送受信機器から、音声データを受信し、受信された当該音声データを前記音声セレクタに出力し、
（ａ−ｉｉ）前記制御部は、前記音声セレクタに対し、当該音声セレクタの入力として、前記第一のインタフェースを選択する第１の入力選択指示を出し、
（ａ−ｉｉｉ）前記音声セレクタは、前記制御部から前記第１の入力選択指示を受けた場合に、前記第一のインタフェースから出力される前記音声データを、前記第三のインタフェースに出力し、
（ａ−ｉｖ）前記第三のインタフェースは、前記音声セレクタにより出力される前記音声データを、前記外部音声出力機器に出力し、
前記制御信号として、前記第二のインタフェースを選択する第２の指示信号を受信した場合には、
（ｂ−ｉ）前記第二のインタフェースは、前記外部送信機器から前記映像音声データを受信し、受信された前記映像音声データを、前記音声データ抽出部に出力し、
（ｂ−ｉｉ）前記音声データ抽出部は、前記第二のインタフェースから受け取った前記映像音声データから、当該映像音声データの音声データを抽出し、抽出された前記音声データを前記音声セレクタに出力し、
（ｂ−ｉｉｉ）前記制御部は、前記音声セレクタに対し、当該音声セレクタの前記入力として、前記第二のインタフェースを選択する第２の入力選択指示を出し、
（ｂ−ｉｖ）前記音声セレクタは、前記制御部から当該第２の入力選択指示を受けた場合に、前記音声データ抽出部から出力される、抽出された前記音声データを、前記第三のインタフェースに出力し、
（ｂ−ｖ）前記第三のインタフェースは、前記音声セレクタにより出力される当該音声データを、前記外部音声出力機器に出力し、
（ｂ−ｖｉ）前記第一のインタフェースは、前記外部送信機器から受信された前記映像音声データを、前記外部送受信機器に出力する入出力切替装置。
【請求項２】
前記第二のインタフェースと前記音声データ抽出部の組を二組以上有し、
さらに、映像音声データの経路を切り替える映像音声セレクタを有する請求項１記載の入出力切替装置であって、
前記制御信号として、前記二組以上のうちのいずれかの組の前記第二のインタフェースを選択する組選択指示を受信した場合には、
（ｃ−ｉ）受信された前記組選択指示で選択された組の前記第二のインタフェースは、前記外部送信機器から映像音声データを受信し、受信された前記映像音声データを、当該組の前記音声データ抽出部に出力し、
（ｃ−ｉｉ）選択された前記組の前記音声データ抽出部は、当該組の前記第二のインタフェースから受け取った前記映像音声データから、当該映像音声データの前記音声データを抽出し、抽出された前記音声データを前記音声セレクタに出力し、
（ｃ−ｉｉｉ）前記制御部は、前記音声セレクタに対し、当該音声セレクタの入力として、選択された前記組の前記第二のインタフェースを選択する指示を出すと共に、前記映像音声セレクタに対し、当該映像音声セレクタの入力として、選択された前記組の前記第二のインタフェースを選択する指示を出し、
（ｃ−ｉｖ）前記音声セレクタは、前記制御部からの前記指示により選択された前記第二のインタフェースから前記映像音声データを受け取った前記音声データ抽出部から出力される前記音声データを、前記第三のインタフェースに出力し、
（ｃ−ｖ）前記第三のインタフェースは、前記音声セレクタにより出力される当該音声データを前記外部音声出力機器に出力し、
（ｃ−ｖｉ）前記映像音声セレクタは、前記制御部からの前記指示で選択された前記第二のインタフェースからの前記映像音声データを、前記第一のインタフェースに出力し、
（ｃ−ｖｉｉ）前記第一のインタフェースは、前記映像音声セレクタから受け取った前記映像音声データを前記外部送受信機器に出力する入出力切替装置。
【請求項３】
さらに、前記第二のインタフェースを介して、機器制御コマンドの送受信を行うコマンド送受信部を有し、
前記コマンド送受信部は、前記機器制御コマンドとして、入力切替コマンドを受信すると、前記制御部に対して、複数の前記第二のインタフェースのうちで、前記入力切替コマンドの送信元機器が接続された前記第二のインタフェースを、入力として選択することを指示し、
前記制御部は、前記コマンド送受信部から、前記送信元機器の前記第二のインタフェースを入力として選択させる前記指示がされると、前記制御信号として、当該送信元機器の前記第二のインタフェースを選択する前記第２の指示信号を受信したときの動作と同じ動作を実施する請求項１記載の入出力切替装置。
【請求項４】
前記第二のインタフェースは、ＨＤＭＩ（High-Definition Multimedia interface）である請求項１記載の入出力切替装置。
【請求項５】
前記第一のインタフェースは、無線通信用インタフェースである請求項１記載の入出力切替装置。
【請求項６】
前記入力切替コマンドは、前記外部送信機器により送信されたＣＥＣ（Consumer Electronics Control）コマンドである請求項３記載の入出力切替装置。
【請求項７】
前記外部送受信機器は、ＨＤ（High Definition）の映像を表示するテレビであり、
前記外部音声出力機器は、表示される前記映像が含まれる前記映像音声における音声を出力し、
当該入出力切替装置は、無線ＨＤＭＩ（High-Definition Multimedia Interface）コンバータであり、
前記第一のインタフェースは、前記テレビと、ＷｉｒｅｌｅｓｓＨＤでの無線通信を行い、当該無線ＨＤＭＩコンバータにＨＤＭＩで接続された前記外部送信機器からの映像を前記テレビに無線通信することにより、当該映像を前記テレビに表示させ、
前記音声データ抽出部は、前記映像が無線通信される場合に、当該映像の映像音声を取得し、取得される当該映像音声から音声を抽出し、
前記第一のインタフェースは、前記映像が無線通信されない場合にのみ、前記テレビから前記無線通信で音声を受信し、前記映像が無線通信される場合には受信せず、
前記音声セレクタは、前記映像が無線通信されない場合にのみ、前記テレビから受信される前記音声を前記外部音声出力機器に出力させ、前記映像が無線通信される場合には、前記音声データ抽出部により抽出された前記音声を出力させる請求項１記載の入出力切替装置。
【請求項８】
前記第一のインタフェースは、当該無線ＨＤＭＩコンバータに前記外部送信機器から受信された映像音声を前記テレビに無線通信することにより、当該映像音声における映像を前記テレビに通信して、通信される当該映像を前記テレビに表示させ、
前記音声データ抽出部は、受信された当該映像音声を取得して、取得された当該映像音声から前記音声を抽出する請求項７記載の入出力切替装置。
【請求項９】
当該無線ＨＤＭＩコンバータは、複数の機器に、それぞれＨＤＭＩで接続され、
前記第一のインタフェースは、前記複数の機器のうち、当該無線ＨＤＭＩコンバータにより受信される信号により指定される機器からの前記映像の無線通信を行い、
前記音声データ抽出部は、指定される当該機器からの前記映像音声から抽出を行い、
前記音声セレクタは、前記映像が無線通信される場合に、抽出された、指定される当該機器からの前記音声を、前記外部音声出力機器に出力させる請求項８記載の入出力切替装置。
【請求項１０】
当該無線ＨＤＭＩコンバータに対して、ＨＤＭＩで接続された前記外部音声出力機器に対して、ＨＤＭＩにおける、オーディオリターンチャンネル（Audio Return Channel）で、前記テレビから受信された前記音声、または、抽出された前記音声を出力する出力部を備える請求項９記載の入出力切替装置。
【請求項１１】
外部送受信機器との、無線での接続が可能で、少なくとも、映像データの送信、音声データの受信、および制御信号の受信が、接続された当該外部送受信機器と可能な第一のインタフェースと、
外部送信機器との接続が可能で、当該外部送信機器から、少なくとも、映像音声データの受信が可能な第二のインタフェースと、
外部音声出力機器との接続が可能で、音声データの送信が可能な第三のインタフェースと、
前記外部音声出力機器へと送信される音声データの経路を切り替える音声セレクタと、
前記第一のインタフェースで受信した前記制御信号に基づいて、前記音声セレクタに対し、前記経路の切り替えを指示する制御部と、
前記第二のインタフェースで受信した前記映像音声データから音声データを取り出す音声データ抽出部を有する入出力切替装置により実行される入出力切替方法であって、
前記制御信号として、前記第一のインタフェースを選択する第１の指示信号を受信した場合における、
（ａ−ｉ）前記第一のインタフェースが、前記外部送受信機器から、音声データを受信し、受信された当該音声データを前記音声セレクタに出力する工程と、
（ａ−ｉｉ）前記制御部が、前記音声セレクタに対し、当該音声セレクタの入力として、前記第一のインタフェースを選択する第１の入力選択指示を出す工程と、
（ａ−ｉｉｉ）前記音声セレクタが、前記制御部から前記第１の入力選択指示を受けた場合に、前記第一のインタフェースから出力される前記音声データを、前記第三のインタフェースに出力する工程と、
（ａ−ｉｖ）前記第三のインタフェースが、前記音声セレクタにより出力される前記音声データを、前記外部音声出力機器に出力する工程との各工程を含み、かつ、
前記制御信号として、前記第二のインタフェースを選択する第２の指示信号を受信した場合における、
（ｂ−ｉ）前記第二のインタフェースが、前記外部送信機器から前記映像音声データを受信し、受信された前記映像音声データを、前記音声データ抽出部に出力する工程と、
（ｂ−ｉｉ）前記音声データ抽出部が、前記第二のインタフェースから受け取った前記映像音声データから、当該映像音声データの音声データを抽出し、抽出された前記音声データを前記音声セレクタに出力する工程と、
（ｂ−ｉｉｉ）前記制御部が、前記音声セレクタに対し、当該音声セレクタの前記入力として、前記第二のインタフェースを選択する第２の入力選択指示を出す工程と、
（ｂ−ｉｖ）前記音声セレクタが、前記制御部から当該第２の入力選択指示を受けた場合に、前記音声データ抽出部から出力される、抽出された前記音声データを、前記第三のインタフェースに出力する工程と、
（ｂ−ｖ）前記第三のインタフェースが、前記音声セレクタにより出力される当該音声データを、前記外部音声出力機器に出力する工程と、
（ｂ−ｖｉ）前記第一のインタフェースが、前記外部送受信機器から受信された前記映像音声データを、前記外部送受信機器に出力する工程との各工程を含む入出力切替方法。
【発明の詳細な説明】
【技術分野】
【０００１】
本発明は、ＴＶなどの表示装置、再生装置、および音声出力装置が、入出力切替装置を介して互いに接続されるネットワークでの技術に関する。つまり、表示装置で表示される、機器により出力などされる映像等が視聴される。本発明は、このような視聴がされる最中の機器が、いずれの機器であるかによって、適切な、音声データの入力切替を行う入出力切替装置に関するものである。
【背景技術】
【０００２】
近年、ＡＶ機器の高画質化、高音質化が進み、一般家庭においても、ＢＤ（Ｂｌｕ−ｒａｙ  Ｄｉｓｃ）プレーヤや、ＳＴＢ（Ｓｅｔ  Ｔｏｐ  Ｂｏｘ、セットトップボックス）などが普及し、いわゆるＨＤ（Ｈｉｇｈ  Ｄｅｆｉｎｉｔｉｏｎ）映像を楽しむことができるようになってきた。【０００３】
また、ネットワークや、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ、非特許文献１を参照）などの普及に伴い、複数のＡＶ機器が互いに連携した動作を行うことで、様々な付加機能を提供する、いわゆるリンク機能が普及してきている。このリンク機能の中には、例えば、ＢＤプレーヤの再生を開始したときに、自動的に、テレビの電源がオンになり、テレビやＡＶアンプの入力がＢＤプレーヤ側に切り替わるものもある。つまり、リンク機能としては、この切り替えがされることで、一々、テレビや、ＡＶアンプの操作をしなくても、簡単に、ＢＤプレーヤが再生しているコンテンツを視聴できるものがある。一般的に、こうした機能は、ワンタッチプレイと呼ばれている。【０００４】
このワンタッチプレイなどのリンク機能を実現するために、ＨＤＭＩ規格（非特許文献１）では、ＣＥＣ（Ｃｏｎｓｕｍｅｒ  Ｅｌｅｃｔｒｏｎｉｃｓ  Ｃｏｎｔｒｏｌ）という、機器制御用のプロトコルが規定されている。【０００５】
また、有線インタフェースであるＨＤＭＩの代わりに、無線通信で、ＨＤ映像の伝送を行うインタフェース、例えばＷｉｒｅｌｅｓｓＨＤ（非特許文献２等参照）なども広まりつつある。【０００６】
このような無線インタフェースを、既存のＨＤＭＩ対応機器でも使えるように、無線インタフェースと、ＨＤＭＩとの間のコンバートを行う無線ＨＤＭＩコンバータがある。【０００７】
無線ＨＤＭＩコンバータの動作の一例について、図６から図９を用いて説明する。【０００８】
図６は、ＨＤＭＩ入力を一個有する無線ＨＤＭＩコンバータ６１を用いたＡＶ機器ネットワークの構成の一例（システム６）を示す図である。【０００９】
図７は、図６における無線ＨＤＭＩコンバータ６１の構成の一例を示す図である。【００１０】
以下、まず、図６に示すＡＶ機器ネットワークにおいて、ＢＤプレーヤ６２を視聴するときの、無線ＨＤＭＩコンバータ６１の動作について、図７を用いて説明する。【００１１】
ＨＤＭＩ入力インタフェース２３ａは、ＢＤプレーヤ６２から、ＨＤＭＩケーブル１５を介して、映像音声データ６２ｄを受信する。そして、ＨＤＭＩ入力インタフェース２３ａは、この受信をすると、受信された映像音声データ６２ｄを、無線インタフェース７１に出力する。【００１２】
無線インタフェース７１は、出力された映像音声データ６２ｄを、無線通信を用いて、ＴＶ１１に送信する。なお、この際、無線インタフェース７１は、例えば、ＴＶ１１とのコネクションの確立や、帯域の確保、パケット形式の変換などの、無線通信に必要な処理を行う。【００１３】
以上のようにして、無線通信を介して、ＢＤプレーヤ６２（図６）で再生した映像音声（図７の映像音声データ６２ｄの映像音声）を、ＴＶ１１（図６）で視聴することができる。【００１４】
図８は、ＨＤＭＩ入力を一個と、光音声出力とを有する無線ＨＤＭＩコンバータ８１を用いたＡＶ機器ネットワークの構成の一例（システム８）を示す図である。【００１５】
図９は、図８における無線ＨＤＭＩコンバータ８１の構成の一例を示す図である。【００１６】
また、無線インタフェースの中には、通常の映像音声データの伝送方向とは逆向きに、音声データを伝送することができるものがある。この場合、図８に示すように、例えば、無線ＨＤＭＩコンバータ８１と、ＡＶアンプ８２とを、光音声ケーブル１６を用いて接続する。【００１７】
以下、図８における無線ＨＤＭＩコンバータ８１の動作について、図９を用いて説明する。【００１８】
（ｉ）ＢＤプレーヤ６２を視聴する場合
ＢＤプレーヤ６２は、ＨＤＭＩケーブル１５を介して、映像音声データ６２ｄを、ＡＶアンプ８２に送信する。【００１９】
そして、ＡＶアンプ８２は、受け取った映像音声データ６２ｄを、ＨＤＭＩケーブル１５を介して、無線ＨＤＭＩコンバータ８１に送信する。そして、このとき、ＡＶアンプ８２は、この映像音声データ６２ｄ中の音声データを取り出し、自身から、取り出した音声データの音声を出力する。【００２０】
図７に示す、無線ＨＤＭＩコンバータ６１のＨＤＭＩ入力インタフェース２３ａと同様に、無線ＨＤＭＩコンバータ８１のＨＤＭＩ入力インタフェース２３ａは、ＢＤプレーヤ６２から、ＨＤＭＩケーブル１５を介して映像音声データ６２ｄを受信すると、受信された映像音声データ６２ｄを、無線インタフェース９１に出力する。【００２１】
無線インタフェース９１は、出力された映像音声データ６２ｄを、無線通信を用いて、ＴＶ１１に送信する。なお、この際、無線インタフェース９１は、例えば、ＴＶ１１とのコネクションの確立や、帯域の確保、パケット形式の変換などの、無線通信に必要な処理を行う。【００２２】
（ｉｉ）ＴＶ１１を視聴する場合
無線インタフェース９１は、無線通信を用いて、音声データ１１ｄをＴＶ１１から受信し、受信された音声データ１１ｄを、光音声出力インタフェース２４に出力する。なお、この際、無線インタフェース９１は、例えば、上記の（ｉ）の場合と同様に、ＴＶ１１とのコネクションの確立や、帯域の確保、パケット形式の変換などの、無線通信に必要な処理を行う。【００２３】
光音声出力インタフェース２４は、無線インタフェース９１により出力された音声データ１１ｄを、光音声ケーブル１６を介して、ＡＶアンプ８２に送信する。【００２４】
以上のようにして、ＢＤプレーヤ６２で再生した映像音声（映像音声データ６２ｄ）をＴＶ１１で視聴する場合（上記の（ｉ））、およびＴＶ１１を視聴する場合（上記の（ｉｉ））のいずれの場合においても、ＡＶアンプ８２で、音声を聴くことができる。【００２５】
図１０は、ホームシアター１４と、ＳＴＢ１３とが存在するネットワークの一例（システム１０）を示す図である。【００２６】
一方、ＢＤプレーヤの中には、ＡＶアンプの機能を有する、ホームシアターと呼ばれる機器がある。一般的に、ホームシアターは、ＨＤＭＩ入力を有しない。このため、例えば、ＳＴＢ（Ｓｅｔ  Ｔｏｐ  Ｂｏｘ）と、ホームシアターとを同時に使用したいユーザは、図１０に示す接続構成をとる。すなわち、ＴＶ１０１のＨＤＭＩ入力に、ＳＴＢ１３とホームシアター１４とをそれぞれ接続する。そして、ＳＴＢ１３を視聴する場合には、ＴＶ１０１は、ＳＴＢ１３からＨＤＭＩケーブル１５を介して受け取った映像音声データ１３ｄから音声データ１０１ｄを取り出し、光音声ケーブル１６を介して、取り出した音声データ１０１ｄをホームシアター１４に送信する。なお、特許文献１においては、音声データを取り出す（分離する）技術について、書かれている。
【先行技術文献】
【特許文献】
【００２７】
【特許文献１】特開２００９−１８２９１２号公報
【非特許文献】
【００２８】
【非特許文献１】ＨＤＭＩ規格（Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ）
【非特許文献２】ＷｉｒｅｌｅｓｓＨＤ  Ｓｐｅｃｉｆｉｃａｔｉｏｎ  Ｏｖｅｒｖｉｅｗ
【発明の概要】
【発明が解決しようとする課題】
【００２９】
図１０に示すような、ホームシアター１４とＳＴＢ１３とが存在するネットワーク（システム１０）において、無線通信（図６〜図９における無線ＨＤＭＩコンバータ６１、８１）を使用する場合を考える。【００３０】
ＨＤＭＩケーブル１５で記載した部分を、そのまま無線化すると、無線インタフェースによっては、帯域の制限により、高レートの映像音声データ１３ｄ、および、高レートの音声データ１０１ｄとを、同時に伝送できない場合がある。つまり、このように、図１０のシステム１０において無線通信を適用する場合、ＴＶ１０１でＴＶ番組を視聴する時には、ＴＶ１０１から、ホームシアター１４に音声データ１０１ｄを伝送すればよいが、ＳＴＢ１３を視聴する時には、ＳＴＢ１３からＴＶ１０１への映像音声データ１３ｄの伝送と、ＴＶ１０１からホームシアター１４への音声データ１０１ｄの伝送との２つの通信を、同時にできないという問題点がある。【００３１】
本発明の目的は、ＴＶなどの表示装置、再生装置、および音声出力装置が、入出力切替装置を介して互いに接続されるネットワークにおいて、表示装置で視聴中の機器が、いずれの機器であるかによって、適切な音声データの入力切替を行う入出力切替装置を提供することである。
【課題を解決するための手段】
【００３２】
上記の課題を解決するために、本発明の入出力切替装置は、外部送受信機器との、無線での接続が可能で、少なくとも、映像データの送信、音声データの受信、および制御信号の受信が、接続された当該外部送受信機器と可能な第一のインタフェースと、外部送信機器との接続が可能で、当該外部送信機器から、少なくとも、映像音声データの受信が可能な第二のインタフェースと、外部音声出力機器との接続が可能で、音声データの送信が可能な第三のインタフェースと、前記外部音声出力機器へと送信される音声データの経路を切り替える音声セレクタと、前記第一のインタフェースで受信した前記制御信号に基づいて、前記音声セレクタに対し、前記経路の切り替えを指示する制御部と、前記第二のインタフェースで受信した前記映像音声データから音声データを取り出す音声データ抽出部を有し、前記制御信号として、前記第一のインタフェースを選択する第１の指示信号を（当該入出力切替装置の受信部が）受信した場合には、（ａ−ｉ）前記第一のインタフェースは、前記外部送受信機器から、音声データを受信し、受信された当該音声データを前記音声セレクタに出力し、（ａ−ｉｉ）前記制御部は、前記音声セレクタに対し、当該音声セレクタの入力として、前記第一のインタフェースを選択する第１の入力選択指示を出し、（ａ−ｉｉｉ）前記音声セレクタは、前記制御部から前記第１の入力選択指示を受けた場合に、前記第一のインタフェースから出力される前記音声データを、前記第三のインタフェースに出力し、（ａ−ｉｖ）前記第三のインタフェースは、前記音声セレクタにより出力される前記音声データを、前記外部音声出力機器に出力し、前記制御信号として、前記第二のインタフェースを選択する第２の指示信号を（当該入出力切替装置の受信部が）受信した場合には、（ｂ−ｉ）前記第二のインタフェースは、前記外部送信機器から前記映像音声データを受信し、受信された前記映像音声データを、前記音声データ抽出部に出力し、（ｂ−ｉｉ）前記音声データ抽出部は、前記第二のインタフェースから受け取った前記映像音声データから、当該映像音声データの音声データを抽出し、抽出された前記音声データを前記音声セレクタに出力し、（ｂ−ｉｉｉ）前記制御部は、前記音声セレクタに対し、当該音声セレクタの前記入力として、前記第二のインタフェースを選択する第２の入力選択指示を出し、（ｂ−ｉｖ）前記音声セレクタは、前記制御部から当該第２の入力選択指示を受けた場合に、前記音声データ抽出部から出力される、抽出された前記音声データを、前記第三のインタフェースに出力し、（ｂ−ｖ）前記第三のインタフェースは、前記音声セレクタにより出力される当該音声データを、前記外部音声出力機器に出力し、（ｂ−ｖｉ）前記第一のインタフェースは、前記外部送信機器から受信された前記映像音声データを、前記外部送受信機器に出力する入出力切替装置である。
【発明の効果】
【００３３】
本発明により、表示装置で視聴中の機器が、いずれの機器かによって、適切な音声データの自動入力切替を実現することが可能となる。
【図面の簡単な説明】
【００３４】
【図１】図１は、実施の形態１に係るＡＶ機器ネットワークの構成の一例を示す図である。
【図２】図２は、図１における無線ＨＤＭＩコンバータ１２の構成の一例を示す図である。
【図３】図３は、ＴＶ１１視聴時の無線ＨＤＭＩコンバータ１２内のデータ伝送経路を示す図である。
【図４】図４は、ＳＴＢ１３視聴時の無線ＨＤＭＩコンバータ１２内のデータ伝送経路を示す図である。
【図５】図５は、実施の形態２における無線ＨＤＭＩコンバータの構成の一例を示す図である。
【図６】図６は、ＨＤＭＩ入力を一個有する無線ＨＤＭＩコンバータを用いたＡＶ機器ネットワークの構成の一例を示す図である。
【図７】図７は、図６における無線ＨＤＭＩコンバータの構成の一例を示す図である。
【図８】図８は、ＨＤＭＩ入力を一個と光音声出力を有する無線ＨＤＭＩコンバータを用いたＡＶ機器ネットワークの構成の一例を示す図である。
【図９】図９は、図８における無線ＨＤＭＩコンバータの構成の一例を示す図である。
【図１０】図１０は、ホームシアターとＳＴＢとが存在するネットワークの一例を示す図である。
【図１１】図１１は、無線ＨＤＭＩのフローチャートである。
【発明を実施するための形態】
【００３５】
以下、本発明に係る入出力切替装置の実施の形態について、図面を参照しながら詳細に説明する。
【００３６】
実施形態の入出力切替装置（無線ＨＤＭＩコンバータ）においては、外部送受信機器（ＴＶ１１）との、無線での接続が可能で、少なくとも、映像データ（映像音声データ１３ｄ）の送信、音声データ（第１の音声データ１１ｄ１）の受信、および制御信号（制御信号１１ｓ）の受信が、接続された当該外部送受信機器と可能な第一のインタフェース（無線インタフェース２２）と、外部送信機器（ＳＴＢ１３）との接続が可能で、当該外部送信機器から、少なくとも、映像音声データ（映像音声データ１３ｄ）の受信が可能な第二のインタフェース（ＨＤＭＩ入力インタフェース２３ａ、２３ｂ（２３））と、外部音声出力機器（ホームシアター１４）との接続が可能で、音声データ（音声データ１１ｄ）の送信が可能な第三のインタフェース（光音声出力インタフェース２４、音声出力部２４ｘ）と、前記外部音声出力機器へと送信される音声データの経路（図３、図４の二重線参照）を切り替える音声セレクタ（音声セレクタ２７）と、前記第一のインタフェースで受信した前記制御信号に基づいて、前記音声セレクタに対し、前記経路の切り替えを指示する制御部（制御部２１）と、前記第二のインタフェースで受信した前記映像音声データから音声データ（第２の音声データ１１ｄ２）を取り出す音声データ抽出部（音声データ抽出部２５ａ、２５ｂ（２５））を有する。
【００３７】
そして、前記制御信号として、前記第一のインタフェースを選択する第１の指示信号（第１の制御信号１１ｓ１）を（当該入出力切替装置（の受信部）が）受信した場合には、（ａ−ｉ）前記第一のインタフェースは、前記外部送受信機器から、音声データ（第１の音声データ１１ｄ１）を受信し、受信された当該音声データを前記音声セレクタに出力し、（ａ−ｉｉ）前記制御部は、前記音声セレクタに対し、当該音声セレクタの入力として、前記第一のインタフェースを選択する第１の入力選択指示を出し、（ａ−ｉｉｉ）前記音声セレクタは、前記制御部から前記第１の入力選択指示を受けた場合に、前記第一のインタフェースから出力される前記音声データ（第１の音声データ１１ｄ１）を、前記第三のインタフェースに出力し、（ａ−ｉｖ）前記第三のインタフェースは、前記音声セレクタにより出力される前記音声データ（第１の音声データ１１ｄ１）を、前記外部音声出力機器に出力する。
【００３８】
そして、前記制御信号として、前記第二のインタフェースを選択する第２の指示信号（第２の制御信号１１ｓ２）を（当該入出力切替装置（の受信部）が）受信した場合には、（ｂ−ｉ）前記第二のインタフェースは、前記外部送信機器から前記映像音声データ（映像音声データ１３ｄ）を受信し、受信された前記映像音声データを、前記音声データ抽出部に出力し、（ｂ−ｉｉ）前記音声データ抽出部は、前記第二のインタフェースから受け取った前記映像音声データから、当該映像音声データの音声データ（第２の音声データ１１ｄ２）を抽出し、抽出された前記音声データを前記音声セレクタに出力し、（ｂ−ｉｉｉ）前記制御部は、前記音声セレクタに対し、当該音声セレクタの前記入力として、前記第二のインタフェースを選択する第２の入力選択指示を出し、（ｂ−ｉｖ）前記音声セレクタは、前記制御部から当該第２の入力選択指示を受けた場合に、前記音声データ抽出部から出力される、抽出された前記音声データ（第２の音声データ１１ｄ２）を、前記第三のインタフェースに出力し、（ｂ−ｖ）前記第三のインタフェースは、前記音声セレクタにより出力される当該音声データ（第２の音声データ１１ｄ２）を、前記外部音声出力機器に出力し、（ｂ−ｖｉ）前記第一のインタフェースは、前記外部送信機器から受信された前記映像音声データ（映像音声データ１３ｄ）を、前記外部送受信機器に出力する。
【００３９】
なお、ここで、実施形態においては、基本構成として、無線ＨＤＭＩコンバータ１２（入出力切替装置）は、無線Ｉ／Ｆ２２と、少なくとも一つ以上のＨＤＭＩ入力Ｉ／Ｆ（ＨＤＭＩ入力インタフェース２３ａ等）と、音声出力部（光音声出力インタフェース（Ｉ／Ｆ）２４）とを備える。なお、光音声出力Ｉ／Ｆ２４について、音声出力部は、光ケーブルの出力（光音声出力Ｉ／Ｆ２４）ではなくて、ＨＤＭＩケーブル中の音声チャンネルの出力をしても構わない。また、音声出力部は、光ケーブル以外の他の、音声信号の送信ケーブルで接続される出力部であってもよい。
【００４０】
そして、ＴＶ１１と、無線ＨＤＭＩコンバータ１２とは、無線通信（無線ＨＤＭＩ）で、信号のやり取りを行ってもよい。そして、無線ＨＤＭＩで、音声について、双方向で流すことができないという課題が解決されてもよい。なお、無線ＨＤＭＩ以外の無線通信においても、その無線通信において、音声の双方向通信ができない場合には、本無線ＨＤＭＩコンバータ１２の動作における無線通信は、その無線通信であってもよい。
【００４１】
つまり、例えば、本入出力切替装置（無線ＨＤＭＩコンバータ１２：図１〜図４など）では、外部送受信機器は、ＨＤ（High Definition）の映像を表示するテレビ１１であり、外部音声出力機器（ホームシアター１４）は、テレビ１１により表示される映像が含まれる映像音声における音声を出力し、当該入出力切替装置は、無線ＨＤＭＩ（High-Definition Multimedia Interface）コンバータであり、第一のインタフェース（無線インタフェース２２：図２など）は、テレビ１１と、ＷｉｒｅｌｅｓｓＨＤでの無線通信（図２等に示される無線通信１２ｘ）を行い、当該無線ＨＤＭＩコンバータにＨＤＭＩで接続された外部送信機器（ＳＴＢ１３）からの映像をテレビ１１に無線通信することにより、当該映像をテレビ１１に表示させ、音声データ抽出部（音声データ抽出部２５ａ、２５ｂ（２５））は、映像が無線通信される場合に、当該映像の映像音声（映像音声データ１３ｄ）を取得し、取得される当該映像音声から音声（第２の音声データ１１ｄ２：図４）を抽出し、第一のインタフェース（無線インタフェース２２）は、映像が無線通信されない場合（図３）にのみ、テレビ１１から無線通信で音声（第１の音声データ１１ｄ１）を受信し、映像が無線通信される場合には受信せず、音声セレクタ（音声セレクタ２７）は、映像が無線通信されない場合にのみ（図３）、テレビ１１から受信される音声（第１の音声データ１１ｄ１）を外部音声出力機器に出力させ、映像が無線通信される場合には（図４）、音声データ抽出部により抽出された音声（第２の音声データ１１ｄ２）を出力させる入出力切替装置である。
【００４２】
つまり、第一のインタフェース（無線インタフェース２２）は、当該無線ＨＤＭＩコンバータ１２にＳＴＢ１３から受信された映像音声（映像音声データ１３ｄ）をテレビ１１に無線通信することにより、当該映像音声における映像をテレビ１１に通信して、通信される当該映像をテレビ１１に表示させ、音声データ抽出部は、受信された当該映像音声（映像音声データ１３ｄ）を取得して、取得された当該映像音声から音声（第２の音声データ１１ｄ２）を抽出してもよい。
【００４３】
これにより、無線通信１２ｘで、映像の通信と同時に、音声の通信もされるのが回避される。
【００４４】
これにより、このような、同時の通信がされて、低い通信品質での通信がされてしまうのが回避され、通信品質が高くできる。
【００４５】
なお、ひいては、通信される映像が表示される際の画質が高くできたり、通信される音声が出力されて、出力される音声の音質が低くなるのが回避されて、音質が高くできる。
【００４６】
また、上記のように、同時の通信がされる必要がなくて、同時の通信のための構成が不要で、構成が簡単にできる。
【００４７】
以下、詳しく説明される。
【００４８】
（実施の形態１）
図１は、実施の形態１に係るＡＶ機器ネットワークの構成の一例（システム１）を示す図である。
【００４９】
図２は、図１における無線ＨＤＭＩコンバータ１２の構成の一例である。
【００５０】
なお、無線ＨＤＭＩコンバータ１２は、実施の形態１における、入出力切替装置の一例である。
【００５１】
以下、無線ＨＤＭＩコンバータ１２の動作について、図２を用いて説明する。
【００５２】
ＨＤＭＩ入力インタフェース（第１のＨＤＭＩ入力インタフェース）２３ａおよびＨＤＭＩ入力インタフェース（第２のＨＤＭＩ入力インタフェース）２３ｂのそれぞれのＨＤＭＩ入力インタフェースは、そのＨＤＭＩ入力インタフェースに接続された機器（ＳＴＢ１３、または、ホームシアター１４）から、映像音声データ１３ｄ（第１の映像音声データ１３ｄａまたは第２の映像音声データ１３ｄｂ）を受信する。
【００５３】
音声データ抽出部（第１の音声データ抽出部）２５ａ、および、音声データ抽出部（第２の音声データ抽出部）２５ｂのそれぞれの音声データ抽出部は、ＨＤＭＩ入力インタフェース２３ａ、ＨＤＭＩ入力インタフェース２３ｂで受信した映像音声データ１３ｄ（映像音声データ１３ｄａまたは映像音声データ１３ｄｂ）を、映像音声セレクタ２６に出力する。それぞれの音声データ抽出部は、この出力と同時に、その映像音声データ１３ｄから、音声データ（図４の音声データ１１ｄ２参照）を取り出し、取り出した音声データを、音声セレクタ２７に出力する。
【００５４】
映像音声セレクタ２６は、制御部２１からの指示に応じて、音声データ抽出部２５ａ、および音声データ抽出部２５ｂから出力される映像音声データ１３ｄのいずれかを選択する。そして、映像音声セレクタ２６は、選択した映像音声データ１３ｄを、無線インタフェース２２に出力するか、もしくは、いずれの映像音声データ１３ｄも出力しない。
【００５５】
音声セレクタ２７は、制御部２１からの指示に応じて、音声データ抽出部２５ａ、音声データ抽出部２５ｂ、もしくは無線インタフェース２２から出力される音声データのいずれかを選択する。そして、音声セレクタ２７は、選択した音声データを、光音声出力インタフェース２４に出力する。なお、つまり、選択される音声データは、ＴＶ１１からの第１の音声データ１１ｄ１（図３）、または、音声データ抽出部２５（第１の音声データ抽出部２５ａまたは第２の音声データ抽出部２５ａ）により抽出された第２の音声データ１１ｄ２（図４）のうちの、いずれかである。
【００５６】
光音声出力インタフェース２４は、音声セレクタ２７により選択された音声データ（第１の音声データ１１ｄ１、または、第２の音声データ１１ｄ２）を、光音声ケーブル１６を介して、ホームシアター１４に送信する。
【００５７】
無線インタフェース２２は、無線通信を用いて、以下の（１）〜（３）のそれぞれの動作を行える。
（１）映像音声セレクタ２６から受け取った映像音声データ１３ｄ（図４）を、ＴＶ１１に送信する。
（２）ＴＶ１１から音声データ１１ｄ（第１の音声データ１１ｄ１、図３）を受信し、受信された第１の音声データ１１ｄ１を、音声セレクタ２７を介して、光音声出力インタフェース２４に出力させる。
（３）ＴＶ１１から制御信号１１ｓ（図２〜図４）を受信し、受信された制御信号１１ｓを、制御部２１に出力する。
【００５８】
なお、この際、無線インタフェース２２は、例えば、ＴＶ１１とのコネクションの確立や、帯域の確保、パケット形式の変換などの、無線通信に必要な処理を行う。ただし、（１）と（２）とを同時に実施することはできない。
【００５９】
図３は、ＴＶ１１視聴時の、無線ＨＤＭＩコンバータ１２内のデータ伝送経路を示す図である。
【００６０】
図４は、ＳＴＢ１３視聴時の無線ＨＤＭＩコンバータ１２内のデータ伝送経路を示す図である。
【００６１】
以下、ＴＶ１１、およびＳＴＢ１３のそれぞれを視聴するときの、無線ＨＤＭＩコンバータ１２の動作について、図３、および図４を用いて説明する。
【００６２】
（ＴＶ１１視聴時の動作：図３）
無線インタフェース２２は、ＴＶ１１から、制御信号１１ｓ（図３）として、「ＴＶ１１の視聴」が行われることを示す第１の制御信号１１ｓ１を受け取る。
【００６３】
そして、制御部２１は、この第１の制御信号１１ｓ１が受け取られると、映像音声セレクタ２６に対し、ＨＤＭＩ入力インタフェース２３（第１のＨＤＭＩ入力インタフェース２３ａまたは第２のＨＤＭＩ入力インタフェース２３ｂ）からの映像音声データ１３ｄ（図４参照）を、出力しない指示を出す。そして、制御部２１は、この指示を出すのと同時に、音声セレクタ２７に対し、無線インタフェース２２から出力される、ＴＶ１１からの第１の音声データ１１ｄ１を選択する指示を出す。
【００６４】
また、無線インタフェース２２は、ＴＶ１１からの第１の音声データ１１ｄ１の受信を開始する。
【００６５】
これにより、ＴＶ１１から送信される第１の音声データ１１ｄ１は、無線インタフェース２２から、音声セレクタ２７を経由し、光音声出力インタフェース２４より、光音声ケーブル１６を介して、ホームシアター１４に送信される（図３の二重線を参照）。
【００６６】
この結果、ＴＶ１１での視聴を開始すると、ホームシアター１４から、上記のようにして、ＴＶ１１から、無線ＨＤＭＩコンバータ１２を介して、当該ホームシアター１４に送信された、第１の音声データ１１ｄ１の音声が出力される。
【００６７】
（ＳＴＢ１３視聴時の動作：図４）
無線インタフェース２２は、ＴＶ１１から、制御信号１１ｓとして、「ＨＤＭＩ入力インタフェース２３ａに接続された機器の視聴」がされることを示す第２の制御信号１１ｓ２を受け取る。
【００６８】
なお、第１のＨＤＭＩ入力インタフェース２３ａと、第２のＨＤＭＩ入力インタフェース２３ｂとのうち、前者が用いられる例が説明される。
【００６９】
そして、制御部２１は、第２の制御信号１１ｓ２が受け取られると、映像音声セレクタ２６に対し、音声データ抽出部２５ａから出力される映像音声データ１３ｄを選択する指示を出す。制御部２１は、これと同時に、音声セレクタ２７に対し、音声データ抽出部２５ａから出力される第２の音声データ１１ｄ２を選択する指示を出す。
【００７０】
また、無線インタフェース２２は、ＴＶ１１への、映像音声データ１３ｄの送信を開始する。
【００７１】
これにより、ＳＴＢ１３から無線ＨＤＭＩコンバータ１２に送信される第２の音声データ１１ｄ２（送信される映像音声データ１３ｄに含まれる音声データ１１ｄ２）は、ＨＤＭＩ入力インタフェース２３ａから、音声セレクタ２７を経由し、光音声出力インタフェース２４より、光音声ケーブル１６を介してホームシアター１４に送信される。
【００７２】
同時に、ＳＴＢ１３から送信される映像音声データ１３ｄは、ＨＤＭＩ入力インタフェース２３ａから、映像音声セレクタ２６を経由し、無線インタフェース２２より、ＴＶ１１に送信される。
【００７３】
この結果、ＳＴＢ１３の視聴を開始すると、視聴される映像音声における映像は、ＴＶ１１で表示されると同時に、ホームシアター１４から、視聴される当該映像音声における音声が出力される。
【００７４】
このようにして、例えば、ＴＶ１１の（チューナーで受信された）映像と、ＨＤＭＩで接続された機器（ＳＴＢ１３）の映像とのうち、後者が視聴されることを示す第２の制御信号１１ｓ２が受け取られる（上述の（２）の場合）場合がある。
【００７５】
この場合には、当該機器からの映像音声データ１３ｄが、ＴＶ１１に送信されると共に、当該映像音声データ１３ｄから抽出された第２の音声データ１１ｄ２が、音声セレクタ２７により選択されてもよい。
【００７６】
そして、このような（２）の場合には、例えば、第１のＨＤＭＩ入力インタフェース２３ａと、第２のＨＤＭＩ入力インタフェース２３ｂとのうちから一方が、第２の制御信号１１ｓ２等により選択されてもよい。
【００７７】
そして、選択された方に接続された機器（例えば、ＳＴＢ１３）からの映像音声データ１３ｄ（映像音声データ１３ｄａ）がＴＶ１１に送信され、その映像音声データ１３ｄからの音声データ１１ｄ２が、音声セレクタ２７により選択されてもよい。
【００７８】
以上の動作により、ホームシアター１４からは、自動で、現在視聴する機器（ＴＶ１１またはＳＴＢ１３）の音声（第１の音声データ１１ｄ１の音声、または、第２の音声データ１１ｄ２の音声）が選択され、出力される。
【００７９】
なお、実施の形態１に係る無線ＨＤＭＩコンバータ１２において、ＨＤＭＩ入力インタフェースの数は二個（第１のＨＤＭＩ入力インタフェース２３ａ、第２のＨＤＭＩ入力インタフェース２３ｂ）であるとしたが、二個でなくても構わない。
【００８０】
また、無線ＨＤＭＩコンバータ１２は、実施の形態１に係る、入出力切替装置の一例であり、入力および出力に用いるインタフェースは、上記の種類以外の他の種類のインタフェースであっても構わない。例えば、ＨＤＭＩ入力インタフェース２３ｂおよびホームシアター１４の双方が、オーディオリターンチャンネル（Ａｕｄｉｏ  Ｒｅｔｕｒｎ  Ｃｈａｎｎｅｌ：ＡＲＣ）に対応している場合が考えられる。例えば、この場合などには、光音声出力インタフェース２４の代わりに、ＨＤＭＩ入力インタフェース２３ｂのＡＲＣを介して、ホームシアター１４に音声データを送信してもよい。
【００８１】
また、無線ＨＤＭＩコンバータ１２は、無線通信を介して映像音声データ１３ｄをＴＶ１１に送信するとしたが、その映像音声データ１３ｄにおける、映像データおよび音声データ１１ｄ２のうちの、映像データのみを、ＴＶ１１に送信するのであっても構わない。
【００８２】
なお、例えば、第２の制御信号１１ｓ２は、第１のＨＤＭＩ入力インタフェース２３ａ、および、第２のＨＤＭＩ入力インタフェース２３ｂから、１つを選択する選択データを含み、当該選択データにより、用いられるＨＤＭＩ入力インタフェースが選択されてもよい。
【００８３】
（実施の形態２）
実施の形態１におけるＡＶ機器ネットワークにおいて、入出力切替装置として、ＣＥＣに対応している無線ＨＤＭＩコンバータ５１を用いる場合（システム１ａ（図５））を、実施の形態２として説明する。
【００８４】
図５は、実施の形態２における、無線ＨＤＭＩコンバータ５１の構成の一例を示す図である。
【００８５】
無線ＨＤＭＩコンバータ５１は、２つのＨＤＭＩ入力インタフェースを有する。それぞれのＨＤＭＩ入力インタフェースは、ＣＥＣに対応したものである。これら２つのＨＤＭＩ入力インタフェースは、第１のＨＤＭＩ入力インタフェース５２ａ、および第２のＨＤＭＩ入力インタフェース５２ｂである。
【００８６】
そして、無線ＨＤＭＩコンバータ５１は、さらに、ＣＥＣ送受信部５３を有する。このＣＥＣ送受信部５３は、ＨＤＭＩ入力インタフェース５２ａおよびＨＤＭＩ入力インタフェース５２ｂを介して、ＳＴＢ１３や、ホームシアター１４などの他機器と、ＣＥＣコマンドの送受信を行う。
【００８７】
また、制御部５２ｘは、図２に示す制御部２１（先述）の動作に加えて、次の動作を行う。つまり、つまり、この制御部５２ｘは、ＣＥＣ送受信部５３からの入力切替指示を受け取ると、無線インタフェース２２を介して制御信号１１ｓ（先述）を受信したときと同様に、映像音声セレクタ２６および音声セレクタ２７に対して、入力切替を指示する。
【００８８】
ＣＥＣを用いることで、例えばＳＴＢ１３の電源を入れると、自動的に、無線ＨＤＭＩコンバータ５１の入力を、ＳＴＢ１３が接続されている第１のＨＤＭＩ入力インタフェース５２ａに切り替えることができる。具体的には、ＳＴＢ１３は、電源がオンになるときに、入力切替を指示するＣＥＣコマンドである＜Ａｃｔｉｖｅ  Ｓｏｕｒｃｅ＞コマンドを、無線ＨＤＭＩコンバータ５１に送信する。
【００８９】
そして、ＣＥＣ送受信部５３は、第１のＨＤＭＩ入力インタフェース５２ａを介して、この、＜Ａｃｔｉｖｅ  Ｓｏｕｒｃｅ＞コマンドを受信する。そして、ＣＥＣ送受信部５３は、この受信をすると、制御部５２ｘに対して、この＜Ａｃｔｉｖｅ  Ｓｏｕｒｃｅ＞コマンドの送信元機器が接続されているＨＤＭＩ入力インタフェースが、いずれであるか（第１のＨＤＭＩ入力インタフェース５２ａであること）を指示する。これにより、制御部５２ｘは、映像音声セレクタ２６および音声セレクタ２７に対して、指示された第１のＨＤＭＩ入力インタフェース５２ａ側を選択することを指示する。
【００９０】
なお、上記以外の動作は、実施の形態１における無線ＨＤＭＩコンバータ１２の動作と同様である。
【００９１】
以上の動作により、ホームシアター１４からは、自動で、現在視聴する機器の音声が選択され、出力される。
【００９２】
なお、実施の形態２に係る無線ＨＤＭＩコンバータ５１において、ＨＤＭＩ入力インタフェースの数は二個であるとしたが、二個でなくても構わない。
【００９３】
また、無線ＨＤＭＩコンバータ５１は、実施の形態２に係る、入出力切替装置の一例であり、入力および出力に用いるインタフェースは、他の種類のインタフェースであっても構わない。例えば、第２のＨＤＭＩ入力インタフェース５２ｂおよびホームシアター１４の双方が、オーディオリターンチャンネル（Ａｕｄｉｏ  Ｒｅｔｕｒｎ  Ｃｈａｎｎｅｌ：ＡＲＣ）に対応している場合が考えられる。この場合などには、光音声出力インタフェースの代わりに、ＨＤＭＩ入力インタフェース５２ｂのＡＲＣを介して、ホームシアター１４に音声データを送信してもよい。
【００９４】
また、無線ＨＤＭＩコンバータ５１は、無線通信を介して、映像音声データ１３ｄをＴＶ１１に送信するとしたが、その映像音声データ１３ｄにおける映像データのみを送信するのであっても構わない。
【００９５】
すなわち、要約すれば、ＴＶなどの表示装置（ＴＶ１１）、再生装置（ＳＴＢ１３）、および音声出力装置（ホームシアター１４）が、入出力切替装置（無線ＨＤＭＩコンバータ１２、５１）を介して互いに接続されるネットワーク（システム１、システム１ａ）において、表示装置（ＴＶ１１）で視聴中の機器がいずれかによって（無線ＨＤＭＩコンバータ１２にＨＤＭＩで接続された機器（ＳＴＢ１３等）であるか否かによって）、適切な、音声データの入力切替を行う入出力切替装置が提供される。
【００９６】
すなわち、無線インタフェース２２が、ＴＶ１１から、制御信号１１ｓとして、「ＴＶ１１の視聴」の制御信号（第１の制御信号１１ｓ１）を受け取ると、次の動作がされる。
【００９７】
つまり、制御部２１は、映像音声セレクタ２６に対し、映像音声データ（映像音声データ１３ｄ）を出力しない指示を出すと同時に、音声セレクタ２７に対し、無線インタフェース２２から出力される音声データ（第１の音声データ１１ｄ１）を選択する指示を出す。この結果、ＴＶ１１での視聴を開始すると、ホームシアター１４から、ＴＶ１１からの第１の音声データ１１ｄ１の音声が出力される。
【００９８】
また、無線インタフェース２２が、ＴＶ１１から、制御信号１１ｓとして、「ＨＤＭＩ入力インタフェース２３ａに接続された機器の視聴」の信号（第２の制御信号１１ｓ２）を受け取ると、次の動作がされる。
【００９９】
つまり、このときに、制御部２１は、映像音声セレクタ２６に対し、音声データ抽出部２５ａから出力される映像音声データ（映像音声データ１３ｄａ）を選択する指示を出すと同時に、音声セレクタ２７に対し、音声データ抽出部２５ａから出力される音声データを選択する指示を出す。この結果、ＳＴＢ１３の視聴を開始すると、視聴される、ＳＴＢ１３からの映像音声の映像は、ＴＶ１１で表示されると同時に、ホームシアター１４から、その映像音声の音声が出力される。
【０１００】
こうして、例えば、次の動作が行われてもよい。ただし、次の説明は、単なる一例である。
【０１０１】
つまり、表示装置（ＴＶ１１）が、映像音声における映像を表示してもよい。
【０１０２】
なお、ここで、表示される映像は、近年では、多くの場合において、ＨＤ（Ｈｉｇｈ  Ｄｅｆｉｎｉｔｉｏｎ）映像であり、そのデータ量は大きい。
【０１０３】
そして、音声出力装置（ホームシアター１４）が、表示装置により映像が表示される映像音声における音声（音声データ１１ｄ）を出力してもよい。
【０１０４】
ここで、例えば、表示装置が、当該表示装置（ＴＶ１１）に設けられたチューナーにより受信された映像音声などの映像音声における映像を表示してもよい。そして、表示装置が、この表示をするのと共に、当該映像音声から、その映像音声における音声（第１の音声データ１１ｄ１（図３）、図１０の音声データ１０１ｄ）を抽出し、抽出された音声を、音声出力装置（ホームシアター１４）に出力させてもよい。
【０１０５】
一方、近年では、ＨＤの映像を、データ圧縮をすることなく、無線通信する技術が広まりつつある。このような無線通信として、例えば、先述のＷｉｒｅｌｅｓｓＨＤが挙げられる（図６、図７等を参照）。例えば、ＷｉｒｅｌｅｓｓＨＤ等の無線通信においては、６０ＧＨｚ帯の電波を使って、大きなデータ量のデータを、高速に無線通信することにより、ＨＤ映像を無線通信する（図６、図７等参照）。これにより、有線通信のケーブルが不要となり、例えば、表示装置（ＴＶ１１（図６、図１等を参照））が壁掛けテレビで、壁上に設けられても、壁の上を通信ケーブルが垂れ下がることがなく、ユーザから見た美感が向上される。
【０１０６】
つまり、実施形態において、無線インタフェース２２（図１〜図５）は、例えば、表示装置（ＴＶ１１）と、ＷｉｒｅｌｅｓｓＨＤ等での無線通信を行い、無線ＨＤＭＩコンバータに対してＨＤＭＩで接続された機器（ＳＴＢ１３等）と、表示装置（ＴＶ１１）との間の通信を、この無線通信を介して行わせてもよい。
【０１０７】
しかしながら、従来例（図１０）においては、映像音声出力装置（ＳＴＢ１３）により出力される映像音声（図１０の映像音声データ１３ｄ）の映像が表示装置（図１０のＴＶ１０１）へと通信され、通信された映像が表示される場合にまで、表示装置（ＴＶ１０１）が、その映像の映像音声から音声（図１０の音声データ１０１ｄ）を抽出し、抽出された音声を音声出力装置（図１０のホームシアター１４）に出力させてしまう。つまり、従来例（図１０）においては、表示装置（ＴＶ１０１）へと映像（図１０の映像音声データ１３ｄ）が通信されるのと同時に、表示装置（ＴＶ１０１）から音声出力装置（ホームシアター１４）に音声データ１０１ｄが通信されてしまう。
【０１０８】
そして、ＷｉｒｅｌｅｓｓＨＤ等の無線通信においては、映像の通信で、大きなデータ量のデータが通信されるので、他のデータ（音声データ１０１ｄ、音声データ１１ｄ）の通信が制限される。このため、仮に、ＷｉｒｅｌｅｓｓＨＤ等の無線通信により、このような、表示装置への映像の通信と同時での、表示装置からの音声データ１０１ｄの通信（図１０）がされるならば、通信が失敗してしまったり、通信の質が低下してしまったりする。
【０１０９】
そこで、実施形態の無線ＨＤＭＩコンバータ（無線ＨＤＭＩコンバータ１２）においては、第一のインタフェース（無線インタフェース２２）が、テレビ（ＴＶ１１）と、ＷｉｒｅｌｅｓｓＨＤでの無線通信を行ってもよい。そして、当該無線ＨＤＭＩコンバータにＨＤＭＩで接続された外部送信機器（ＳＴＢ１３）からの映像（図１４の映像音声データ１３ｄ）をテレビに無線通信することにより、当該映像をテレビに表示させてもよい（図１１のＳ２ｂ１（Ｓ２ｂ）、Ｓ３ｂ１（Ｓ３ｂ））。
【０１１０】
そして、音声データ抽出部（音声データ抽出部２５）が、映像が無線通信される場合に（図４、図１１のＳ１：ＹＥＳ）、当該映像の映像音声（映像音声データ１３ｄ）を取得し、取得される当該映像音声から音声（第２の音声データ１１ｄ２）を抽出してもよい（Ｓ２ｂ２）。
【０１１１】
つまり、例えば、音声データ抽出部は、無線ＨＤＭＩコンバータと表示装置との間の上記の無線通信以外の他の通信（ＨＤＭＩの通信）により、上記映像音声を、表示装置以外の他の装置等（例えばＳＴＢ１３）から取得してもよい。そして、音声データ抽出部は、他の通信で取得されたこの映像音声から、上述の抽出をしてもよい。
【０１１２】
そして、上述された第一のインタフェースが、上述された、映像が無線通信される場合ではない、映像が無線通信されない場合にのみ（図３、Ｓ１：ＮＯ）、テレビから無線通信で音声（第１の音声データ１１ｄ１）を受信してもよい（Ｓ２ａ）。そして、この第一のインタフェースが、映像が無線通信される場合には（図４、Ｓ１：ＹＥＳ）、テレビから無線通信で音声（第１の音声データ１１ｄ１）を受信せずともよい。
【０１１３】
そして、音声セレクタ（音声セレクタ２７）が、映像が無線通信されない場合にのみ（図３、Ｓ１：ＮＯ）、テレビから受信される音声（第１の音声データ１１ｄ１）をホームシアターに出力させてもよい（Ｓ３ａ）。つまり、映像が無線通信される場合には（図３、Ｓ１：ＹＥＳ）、音声データ抽出部により抽出された音声（第２の音声データ１１ｄ２）を、ホームシアターに出力させてもよい（Ｓ３ｂ２）。
【０１１４】
これにより、映像（映像音声データ１３ｄ）が無線通信される際には（図４、Ｓ１：ＹＥＳ）、表示装置から無線ＨＤＭＩコンバータへの、音声（音声データ１１ｄ）の無線通信（Ｓ２ａ）がされず、映像の無線通信と同時での、表示装置からの、音声の無線通信がされず、無線通信の失敗が回避できたり、無線通信の質が向上できたりする。
【０１１５】
しかも、音声（第２の音声データ１１ｄ２）の無線通信がされないことにより、音声が出力されるタイミングが遅延するのが防げたり、音声の出力のタイミングの同期が不要にできたりする。
【０１１６】
なお、第一のインタフェース（無線インタフェース２２）は、当該無線ＨＤＭＩコンバータへと外部送信機器（ＳＴＢ１３）から受信された映像音声（映像音声データ１３ｄ）をテレビに無線通信することにより、当該映像音声における映像をテレビに通信して、当該映像をテレビに表示させてもよい。
【０１１７】
そして、音声データ抽出部（音声データ抽出部２５）は、外部送信機器（ＳＴＢ１３）から受信された当該映像音声を取得して、取得された当該映像音声から音声を抽出してもよい。
【０１１８】
なお、無線ＨＤＭＩコンバータにより、受信された映像音声（映像音声データ１３ｄ）から映像が抽出されて、その映像音声の、映像および音声のうちで、抽出された映像のみが、ＴＶ１１に無線通信されてもよい。
【０１１９】
また、より具体的には、例えば、当該無線ＨＤＭＩコンバータが、複数の機器（ＳＴＢ１３、ホームシアター１４）に、それぞれＨＤＭＩで接続されてもよい。
【０１２０】
そして、第一のインタフェースが、これら複数の機器のうち、指定された機器からの映像の無線通信をしてもよい。指定される機器とは、例えば、当該無線ＨＤＭＩコンバータ（の受信部（無線インタフェース２２、制御部２１、ＣＥＣ送受信部５３、制御部５２ｘ））により受信される信号（制御信号１１ｓ、ＣＥＣコマンド１３ｃ）により指定される機器（例えばＳＴＢ１３）などをいう。
【０１２１】
そして、音声データ抽出部が、指定される当該機器（ＳＴＢ１３）からの映像音声（映像音声データ１３ｄａ）から、音声を抽出してもよい。
【０１２２】
そして、音声セレクタが、先述された、映像が無線通信される場合に（Ｓ１：ＹＥＳ）、抽出された、指定された機器（ＳＴＢ１３）からの音声（映像音声データ１３ｄａ）を、ホームシアターに出力させてもよい。
【０１２３】
また、この無線ＨＤＭＩコンバータにおいては、より具体的には、例えば、出力部（ＨＤＭＩ入力インタフェース２３ｂ、および、音声出力部２４ｘ（図２））を備えてもよい。そして、この出力部は、当該無線ＨＤＭＩコンバータに対して、ＨＤＭＩで接続された外部音声出力機器（ホームシアター１４）に、音声を出力してもよい。そして、この出力では、ＨＤＭＩにおける、オーディオリターンチャンネル（ＡＲＣ：Audio Return Channel）で、テレビから受信された音声（第１の音声データ１１ｄ１）、または、抽出された音声（第２の音声データ１１ｄ２）が出力されてもよい。
【０１２４】
なお、制御部２１等により、ＨＤＭＩ入力インタフェース２３ｂおよび光音声出力インタフェース２４（音声出力部２４ｘ）のうちの一方が選択され、選択された方から、音声が、外部音声出力機器（ホームシアター１４）に出力されてもよいし、音声出力部２４ｘが、それらＨＤＭＩ入力インタフェース２３ｂ等のうちの一方のみを含み、当該一方のみから出力が行われてもよい。
【０１２５】
なお、このようにして、受信部（制御部２１、無線インタフェース２２、ＣＥＣ送受信部５３、制御部５２ｘ）が、映像が無線通信されるか否かを示す制御信号（制御信号１１ｓ、ＣＥＣコマンド１３ｃ）を受信してもよい。
【０１２６】
なお、ここで、無線ＨＤＭＩコンバータ１２、５１は、より具体的には、例えば、フルハイビジョンワイヤレスユニットでもよい。
【０１２７】
そして、音声出力装置は、例えば、ラックシアターなどのシアターシステムでもよい。
【０１２８】
また、表示装置は、具体的には、プロジェクタでもよいし、コンピュータに接続される液晶ディスプレイでもよい。
【０１２９】
また、映像音声出力装置は、具体的には、例えば、ＢＤプレーヤでもよいし、ビデオカメラ、監視カメラ、ＤＳＣ（digital still camera）、センサーカメラなどのカメラでもよいし、映像を出力する機能が設けられたＤＡＰ（digital audio player）でもよいし、携帯電話でもよいし、パーソナルコンピュータなどのコンピュータでもよい。このコンピュータは、例えば、インターネットなどのネットワークを介して、無線ＨＤＭＩコンバータに対して映像音声を送信するサーバなどでもよい。
【０１３０】
また、映像音声データ１３ｄは、動画像でもよい。そして、映像音声出力装置は、例えば、ハードディスク、メモリなどの、動画像（映像音声データ１３ｄ）を記憶し、記憶された動画像をＨＤＭＩコンバータへと出力する動画像出力装置（記憶装置）でもよい。
【０１３１】
このように、実施形態の無線ＨＤＭＩコンバータ（無線ＨＤＭＩコンバータ１２、５１）においては、音声セレクタ２７などの複数の構成が組み合わせられ、組み合わせによる相乗効果が生じる。これに対して、従来例においては、これら複数の構成のうちの全部または一部を欠き、相乗効果は生じない。本無線ＨＤＭＩコンバータは、この点において、従来例に対して、相違する。
【０１３２】
なお、異なる実施形態に記載された複数の要素などの、互いに離れた複数の箇所に記載された複数の要素が、適宜、組み合わせられてもよい。
【０１３３】
また、単なる細部においては、どのような構成が採用されてもよく、例えば、上記で説明された構成とは異なる他の構成が採用されてもよい。他の構成は、具体的には、例えば、当業者が容易に思いつく構成でもよいし、思いつくのが困難な、更なる改良発明が適用された構成などでもよい。いずれのケースも、本発明が適用されている限り、本発明の範囲に属する。
【０１３４】
なお、本無線ＨＤＭＩコンバータのそれぞれの機能を実現するためのコンピュータプログラムが用いられてもよいし、そのコンピュータプログラムが記憶された記憶媒体が用いられてもよいし、それぞれの機能が実装された集積回路が用いられてもよいし、他の種類の物が用いられてもよいし、上記のそれぞれの工程が含まれる方法が用いられてもよい。
【産業上の利用可能性】
【０１３５】
本発明は、ＴＶと、ＳＴＢやホームシアターなどの機器を無線通信で接続する場合に、現在視聴中の機器から出力する音声が自動的に選択されるＡＶ機器ネットワーク等に適用できる。
【符号の説明】
【０１３６】
１１、１０１  ＴＶ
１１ｄ２  音声データ
１２、５１、６１、８１  無線ＨＤＭＩコンバータ
１３  ＳＴＢ
１３ｄ  映像音声データ
１４  ホームシアター
１５  ＨＤＭＩケーブル
１６  光音声ケーブル
２１、５２ｘ  制御部
２２、７１、９１  無線インタフェース
２３ａ、２３ｂ  ＨＤＭＩ入力インタフェース
２４  光音声出力インタフェース
２５ａ、２５ｂ  音声データ抽出部
２６  映像音声セレクタ
２７  音声セレクタ
５３  ＣＥＣ送受信部
８２  ＡＶアンプ
【図１】
2011132398.tif 000003
【図２】
2011132398.tif 000004
【図３】
2011132398.tif 000005
【図４】
2011132398.tif 000006
【図５】
2011132398.tif 000007
【図６】
2011132398.tif 000008
【図７】
2011132398.tif 000009
【図８】
2011132398.tif 000010
【図９】
2011132398.tif 000011
【図１０】
2011132398.tif 000012
【図１１】
2011132398.tif 000013
【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
外部送受信機器との、無線での接続が可能で、少なくとも、映像データの送信、音声データの受信、および制御信号の受信が、接続された当該外部送受信機器と可能な第一のインタフェースと、
外部送信機器との接続が可能で、当該外部送信機器から、少なくとも、映像音声データの受信が可能な第二のインタフェースと、
外部音声出力機器との接続が可能で、音声データの送信が可能な第三のインタフェースと、
前記外部音声出力機器へと送信される音声データの経路を切り替える音声セレクタと、
前記第一のインタフェースで受信した前記制御信号に基づいて、前記音声セレクタに対し、前記経路の切り替えを指示する制御部と、
前記第二のインタフェースで受信した前記映像音声データから音声データを取り出す音声データ抽出部を有し、
前記制御信号として、前記第一のインタフェースを選択する第１の指示信号を受信した場合には、
（ａ−ｉ）前記第一のインタフェースは、前記外部送受信機器から、音声データを受信し、受信された当該音声データを前記音声セレクタに出力し、
（ａ−ｉｉ）前記制御部は、前記音声セレクタに対し、当該音声セレクタの入力として、前記第一のインタフェースを選択する第１の入力選択指示を出し、
（ａ−ｉｉｉ）前記音声セレクタは、前記制御部から前記第１の入力選択指示を受けた場合に、前記第一のインタフェースから出力される前記音声データを、前記第三のインタフェースに出力し、
（ａ−ｉｖ）前記第三のインタフェースは、前記音声セレクタにより出力される前記音声データを、前記外部音声出力機器に出力し、
前記制御信号として、前記第二のインタフェースを選択する第２の指示信号を受信した場合には、
（ｂ−ｉ）前記第二のインタフェースは、前記外部送信機器から前記映像音声データを受信し、受信された前記映像音声データを、前記音声データ抽出部に出力し、
（ｂ−ｉｉ）前記音声データ抽出部は、前記第二のインタフェースから受け取った前記映像音声データから、当該映像音声データの音声データを抽出し、抽出された前記音声データを前記音声セレクタに出力し、
（ｂ−ｉｉｉ）前記制御部は、前記音声セレクタに対し、当該音声セレクタの前記入力として、前記音声データ抽出部を選択する第２の入力選択指示を出し、
（ｂ−ｉｖ）前記音声セレクタは、前記制御部から当該第２の入力選択指示を受けた場合に、前記音声データ抽出部から出力される、抽出された前記音声データを、前記第三のインタフェースに出力し、
（ｂ−ｖ）前記第三のインタフェースは、前記音声セレクタにより出力される当該音声データを、前記外部音声出力機器に出力し、
（ｂ−ｖｉ）前記第一のインタフェースは、前記外部送信機器から受信された前記映像データを、前記外部送受信機器に出力する入出力切替装置。
【請求項２】
前記第二のインタフェースと前記音声データ抽出部の組を二組以上有し、
さらに、映像音声データの経路を切り替える映像音声セレクタを有する請求項１記載の入出力切替装置であって、
前記制御信号として、前記二組以上のうちのいずれかの組の前記第二のインタフェースを選択する組選択指示信号を受信した場合には、
（ｃ−ｉ）受信された前記組選択指示信号で選択された組の前記第二のインタフェースは、前記選択された組の前記第二のインタフェースに接続されている外部送信機器から映像音声データを受信し、受信された前記映像音声データを、当該組の前記音声データ抽出部に出力し、
（ｃ−ｉｉ）選択された前記組の前記音声データ抽出部は、当該組の前記第二のインタフェースから受け取った前記映像音声データから、当該映像音声データの前記音声データを抽出し、抽出された前記音声データを前記音声セレクタに出力し、
（ｃ−ｉｉｉ）前記制御部は、前記音声セレクタに対し、当該音声セレクタの入力として、選択された前記組の前記第二のインタフェースを選択する指示を出すと共に、前記映像音声セレクタに対し、当該映像音声セレクタの入力として、選択された前記組の前記第二のインタフェースを選択する指示を出し、
（ｃ−ｉｖ）前記音声セレクタは、前記制御部からの前記指示により選択された前記第二のインタフェースから前記映像音声データを受け取った前記音声データ抽出部から出力される前記音声データを、前記第三のインタフェースに出力し、
（ｃ−ｖ）前記第三のインタフェースは、前記音声セレクタにより出力される当該音声データを前記外部音声出力機器に出力し、
（ｃ−ｖｉ）前記映像音声セレクタは、前記制御部からの前記指示で選択された前記第二のインタフェースからの前記映像音声データを、前記第一のインタフェースに出力し、
（ｃ−ｖｉｉ）前記第一のインタフェースは、前記映像音声セレクタから受け取った前記映像音声データを前記外部送受信機器に出力する入出力切替装置。
【請求項３】
さらに、前記第二のインタフェースを介して、機器制御コマンドの送受信を行うコマンド送受信部を有し、
前記コマンド送受信部は、前記機器制御コマンドとして、入力切替コマンドを受信すると、前記制御部に対して、複数の前記第二のインタフェースのうちで、前記入力切替コマンドの送信元機器が接続された前記第二のインタフェースを、入力として選択することを指示し、
前記制御部は、前記コマンド送受信部から、前記送信元機器の前記第二のインタフェースを入力として選択させる前記指示がされると、前記制御信号として、当該送信元機器の前記第二のインタフェースを選択する前記第２の指示信号を受信したときの動作と同じ動作を実施する請求項２記載の入出力切替装置。
【請求項４】
前記第二のインタフェースは、ＨＤＭＩ（High-Definition Multimedia interface）である請求項１記載の入出力切替装置。
【請求項５】
前記第一のインタフェースは、無線通信用インタフェースである請求項１記載の入出力切替装置。
【請求項６】
前記入力切替コマンドは、前記外部送信機器により送信されたＣＥＣ（Consumer Electronics Control）コマンドである請求項３記載の入出力切替装置。
【請求項７】
前記外部送受信機器は、ＨＤ（High Definition）の第１の映像を表示するテレビであり、
前記外部音声出力機器は、表示される前記第１の映像が含まれる映像音声における音声を出力し、
当該入出力切替装置は、無線ＨＤＭＩ（High-Definition Multimedia Interface）コンバータであり、
前記第一のインタフェースは、前記テレビと、ＷｉｒｅｌｅｓｓＨＤでの無線通信を行い、前記第１の指示信号が受信される場合には、当該無線ＨＤＭＩコンバータにＨＤＭＩで接続された前記外部送信機器からの第２の映像を前記テレビに無線通信せず、前記第２の映像を前記第１の映像として前記テレビに表示させず、前記第２の指示信号が受信される場合には、前記第２の映像を前記テレビに無線通信することにより、当該第２の映像を前記第１の映像として前記テレビに表示させ、
前記音声データ抽出部は、前記第２の指示信号が受信される場合に、当該第２の映像の映像音声を取得し、取得される当該映像音声から音声を抽出し、
前記第一のインタフェースは、前記第１の指示信号が受信される場合にのみ、前記テレビから前記無線通信で音声を受信し、前記第２の指示信号が受信される場合には前記テレビから前記音声を受信せず、
前記音声セレクタは、前記第１の指示信号が受信される場合にのみ、前記テレビから受信される前記音声を前記外部音声出力機器に出力させ、前記第２の指示信号が受信される場合には、前記音声データ抽出部により抽出された前記音声を前記外部音声出力機器に出力させる請求項１記載の入出力切替装置。
【請求項８】
前記第一のインタフェースは、当該無線ＨＤＭＩコンバータに前記外部送信機器から受信された前記映像音声を前記テレビに無線通信することにより、当該映像音声における前記第２の映像を前記テレビに通信して、通信される当該第２の映像を前記テレビに表示させ、
前記音声データ抽出部は、受信された当該映像音声を取得して、取得された当該映像音声から前記音声を抽出する請求項７記載の入出力切替装置。
【請求項９】
当該無線ＨＤＭＩコンバータは、複数の機器に、それぞれＨＤＭＩで接続され、
前記第一のインタフェースは、前記複数の機器のうち、当該無線ＨＤＭＩコンバータにより受信される信号により指定される機器からの前記第２の映像の無線通信を行い、
前記音声データ抽出部は、指定される当該機器からの前記映像音声から抽出を行い、
前記音声セレクタは、前記第２の指示信号が受信される場合に、抽出された、指定される当該機器からの前記音声を、前記外部音声出力機器に出力させる請求項８記載の入出力切替装置。
【請求項１０】
当該無線ＨＤＭＩコンバータに対して、ＨＤＭＩで接続された前記外部音声出力機器に対して、ＨＤＭＩにおける、オーディオリターンチャンネル（Audio Return Channel）で、前記テレビから受信された前記音声、または、抽出された前記音声を出力する出力部を備える請求項９記載の入出力切替装置。
【請求項１１】
外部送受信機器との、無線での接続が可能で、少なくとも、映像データの送信、音声データの受信、および制御信号の受信が、接続された当該外部送受信機器と可能な第一のインタフェースと、
外部送信機器との接続が可能で、当該外部送信機器から、少なくとも、映像音声データの受信が可能な第二のインタフェースと、
外部音声出力機器との接続が可能で、音声データの送信が可能な第三のインタフェースと、
前記外部音声出力機器へと送信される音声データの経路を切り替える音声セレクタと、
前記第一のインタフェースで受信した前記制御信号に基づいて、前記音声セレクタに対し、前記経路の切り替えを指示する制御部と、
前記第二のインタフェースで受信した前記映像音声データから音声データを取り出す音声データ抽出部を有する入出力切替装置により実行される入出力切替方法であって、
前記制御信号として、前記第一のインタフェースを選択する第１の指示信号を受信した場合における、
（ａ−ｉ）前記第一のインタフェースが、前記外部送受信機器から、音声データを受信し、受信された当該音声データを前記音声セレクタに出力する工程と、
（ａ−ｉｉ）前記制御部が、前記音声セレクタに対し、当該音声セレクタの入力として、前記第一のインタフェースを選択する第１の入力選択指示を出す工程と、
（ａ−ｉｉｉ）前記音声セレクタが、前記制御部から前記第１の入力選択指示を受けた場合に、前記第一のインタフェースから出力される前記音声データを、前記第三のインタフェースに出力する工程と、
（ａ−ｉｖ）前記第三のインタフェースが、前記音声セレクタにより出力される前記音声データを、前記外部音声出力機器に出力する工程との各工程を含み、かつ、
前記制御信号として、前記第二のインタフェースを選択する第２の指示信号を受信した場合における、
（ｂ−ｉ）前記第二のインタフェースが、前記外部送信機器から前記映像音声データを受信し、受信された前記映像音声データを、前記音声データ抽出部に出力する工程と、
（ｂ−ｉｉ）前記音声データ抽出部が、前記第二のインタフェースから受け取った前記映像音声データから、当該映像音声データの音声データを抽出し、抽出された前記音声データを前記音声セレクタに出力する工程と、
（ｂ−ｉｉｉ）前記制御部が、前記音声セレクタに対し、当該音声セレクタの前記入力として、前記音声データ抽出部を選択する第２の入力選択指示を出す工程と、
（ｂ−ｉｖ）前記音声セレクタが、前記制御部から当該第２の入力選択指示を受けた場合に、前記音声データ抽出部から出力される、抽出された前記音声データを、前記第三のインタフェースに出力する工程と、
（ｂ−ｖ）前記第三のインタフェースが、前記音声セレクタにより出力される当該音声データを、前記外部音声出力機器に出力する工程と、
（ｂ−ｖｉ）前記第一のインタフェースが、前記外部送受信機器から受信された前記映像データを、前記外部送受信機器に出力する工程との各工程を含む入出力切替方法。
【手続補正２】
【補正対象書類名】明細書
【補正対象項目名】００３２
【補正方法】変更
【補正の内容】
【００３２】
上記の課題を解決するために、本発明の入出力切替装置は、外部送受信機器との、無線での接続が可能で、少なくとも、映像データの送信、音声データの受信、および制御信号の受信が、接続された当該外部送受信機器と可能な第一のインタフェースと、外部送信機器との接続が可能で、当該外部送信機器から、少なくとも、映像音声データの受信が可能な第二のインタフェースと、外部音声出力機器との接続が可能で、音声データの送信が可能な第三のインタフェースと、前記外部音声出力機器へと送信される音声データの経路を切り替える音声セレクタと、前記第一のインタフェースで受信した前記制御信号に基づいて、前記音声セレクタに対し、前記経路の切り替えを指示する制御部と、前記第二のインタフェースで受信した前記映像音声データから音声データを取り出す音声データ抽出部を有し、前記制御信号として、前記第一のインタフェースを選択する第１の指示信号を（当該入出力切替装置の受信部が）受信した場合には、（ａ−ｉ）前記第一のインタフェースは、前記外部送受信機器から、音声データを受信し、受信された当該音声データを前記音声セレクタに出力し、（ａ−ｉｉ）前記制御部は、前記音声セレクタに対し、当該音声セレクタの入力として、前記第一のインタフェースを選択する第１の入力選択指示を出し、（ａ−ｉｉｉ）前記音声セレクタは、前記制御部から前記第１の入力選択指示を受けた場合に、前記第一のインタフェースから出力される前記音声データを、前記第三のインタフェースに出力し、（ａ−ｉｖ）前記第三のインタフェースは、前記音声セレクタにより出力される前記音声データを、前記外部音声出力機器に出力し、前記制御信号として、前記第二のインタフェースを選択する第２の指示信号を（当該入出力切替装置の受信部が）受信した場合には、（ｂ−ｉ）前記第二のインタフェースは、前記外部送信機器から前記映像音声データを受信し、受信された前記映像音声データを、前記音声データ抽出部に出力し、（ｂ−ｉｉ）前記音声データ抽出部は、前記第二のインタフェースから受け取った前記映像音声データから、当該映像音声データの音声データを抽出し、抽出された前記音声データを前記音声セレクタに出力し、（ｂ−ｉｉｉ）前記制御部は、前記音声セレクタに対し、当該音声セレクタの前記入力として、前記音声データ抽出部を選択する第２の入力選択指示を出し、（ｂ−ｉｖ）前記音声セレクタは、前記制御部から当該第２の入力選択指示を受けた場合に、前記音声データ抽出部から出力される、抽出された前記音声データを、前記第三のインタフェースに出力し、（ｂ−ｖ）前記第三のインタフェースは、前記音声セレクタにより出力される当該音声データを、前記外部音声出力機器に出力し、（ｂ−ｖｉ）前記第一のインタフェースは、前記外部送信機器から受信された前記映像データを、前記外部送受信機器に出力する入出力切替装置である。
【国際調査報告】
2011132398.tif 000014
2011132398.tif 000015